(57)【要約】      （修正有）【課題】排煙ダクトと温度下降装置を含む温度下降式排煙ダクトを提供する。【解決手段】排煙ダクト２００は本体と排煙装置２２０を具備し、そのうち本体の前面には排気口２１１を有し、排煙装置は本体内の排気口付近に設置する。温度下降装置３００は冷却剤ノズル３１０と冷却パイプライン３２０を具備し、そのうち冷却剤ノズルは排煙装置と間隔を隔てて本体内に設置し、且つ冷却パイプラインは本体に伸ばして冷却剤ノズルとを接続する。【選択図】図１
0003137611.tif 000002
【実用新案登録請求の範囲】
【請求項１】
本体と排煙装置を具えた排煙ダクトであって、前記本体の前面に排気口を具え、前記排煙装置が前記本体内の前記排気口付近に設置され、冷却剤ノズルと冷却パイプラインを具えた温度下降装置であって、前記冷却剤ノズルは前記排煙装置と間隔を隔てて前記本体内に設置され、且つ前記冷却パイプラインは前記本体に伸ばして前記冷却剤ノズルと接続する内容を含むことを特徴とする、温度下降式排煙ダクト。
【請求項２】
、
前記冷却剤ノズルと前記冷却パイプラインの間に設置されたマグネット制御バルブを別途含み、前記冷却パイプラインには冷却剤を充填し、前記排煙装置はさらに排煙機制御ユニットを含んで、前記マグネット制御バルブと信号で接続し、前記排煙装置が起動して排煙を開始すると、前記排煙機制御ユニットは前記マグネット制御バルブを起動させて、前記冷却剤を前記冷却剤ノズルから噴出させることを特徴とする、請求項1に記載する温度下降式排煙ダクト。
【請求項３】
、
前記排煙装置は放熱ファンを含むと共に、更に防水処理も具えていることを特徴とする、請求項1に記載する温度下降式排煙ダクト。
【考案の詳細な説明】
【技術分野】
【０００１】
本考案は温度下降式排煙ダクトに関し、具体的には排煙作業を行うのに便利なような温度下降装置を具えた排煙ダクトに関する。
【背景技術】
【０００２】
排煙システム及び関連排煙施設は構造設計が日増しに複雑化する現代建築において非常に重要である。良好な排煙システム及び関連施設の正常な運行は火災発生時に素早く煙や有毒ガスを排除して、速やかに人々を出口に導いて安全に避難させることを意味している。しかし、火災の発生は通常高温高熱の煙やガスの発生を伴うので、火勢が引き続きある程度に達すると、火、熱及び煙が排煙システムの排煙ダクトから拡大延焼するのを防止するために、従来は何れも防火扉を稼動させて火、熱及び煙が排煙ダクト内に流れ込むのを遮断している。然しながら、火勢が猛烈で建築構造内部の温度が急上昇して煙が立ち込めて防火扉が閉まると、排煙システムに期待される発揮効果が損なわれ、ひいては人員が安全に避難する際に遭遇するリスクが増すこととなる。
【考案の開示】
【考案が解決しようとする課題】
【０００３】
本考案の主な目的は排煙の際に伴う高温高熱を下げるために排煙ダクト内に連結設置した温度下降装置を具えた温度下降式排煙ダクトを提供することにある。
【０００４】
本考案のもう一つの目的は、排煙の際の高温高熱が排煙システムの正常な運行に影響しないように、排煙ダクト内に連結設置された温度降下装置を具えた温度下降式排煙ダクトを提供することにある。
【課題を解決するための手段】
【０００５】
本発明に係る本体と排煙装置を具えた排煙ダクトであって、前記本体の前面に排気口を具え、前記排煙装置が前記本体内の前記排気口付近に設置され、冷却剤ノズルと冷却パイプラインを具えた温度下降装置であって、前記冷却剤ノズルは前記排煙装置と間隔を隔てて前記本体内に設置され、且つ前記冷却パイプラインは前記本体に伸ばして前記冷却剤ノズルと接続する内容を含むことを特徴とする、温度下降式排煙ダクト。
【考案を実施するための最良の形態】
【０００６】
本考案の温度下降式排煙ダクトのうち、温度下降装置は冷却剤を充填し、また冷却剤の効力によって排煙ダクト内の高温高熱を下げる。温度下降装置内に充填された冷却剤は好ましくは圧力によって放出される方法であって、固体、液体、気体状の、及び上記の組合わせのうちの一つの冷却剤を放出する。排煙ダクト内の温度が急上昇し、又は施工規則に求められている防火扉を閉める臨界温度値に達しようとすると（一般的な要求は摂氏２８０度に達する）、温度下降装置のセンサーが感知して温度下降装置を起動させて冷却剤を噴射、放出し、これにより排煙ダクト内の高温高熱を下げて排煙装置が引き続き作動するように維持すると共に、火、熱及び煙が排煙システムの排煙ダクトから拡大延焼するのを防止する。
【０００７】
図１で示しているのは本考案に係る温度下降式排煙ダクトの好ましい実施例であり、温度下降式排煙ダクト１００は排煙ダクト２００と温度降下装置３００を含み、前記排煙ダクト２００は本体２１０と排煙装置２２０を含み、火災が引き起こす煙及びこれに伴う高温高熱は排煙装置２２０に吸い込まれて、本体２１０の後方から排煙ダクト２００に進入し、排煙ダクト２００の本体２１０の前方に排気口２１１を具え、排煙装置２２０は本体２１０内の排気口２１１付近に設置されるが、排煙装置２２０はまた排煙ダクト２００の換気性、並びに細長い回廊、或いは床面積が１００平米を超え且つ常に人が留まり又は可燃物が多い地上の窓のない部屋及び固定窓の部屋又は地下室のような建築物内部の異なる形態の構造に応じて、多数セットの排煙装置２２０を排煙ダクト２００の中段部分に増設し、若しくは排煙ダクト２００付近の吸気口、更には防火扉に設置して空気の流通を確保すると共に排煙ダクト２００のある部分が過度な熱エネルギーを蓄積することで火炎が排煙ダクト２００に沿って延焼しやすくなることを防止することができ、また排煙装置２２０は放熱ファンを含み、さらには防水処理も具えており、前記排煙装置２２０もまた本体２１０付近の排気口２１１に吸気ポンプを取り付けて外部へ向って吸気して排煙作業を行うのに便利なようにする。
【０００８】
前記温度降下装置３００は冷却剤ノズル３１０及び冷却パイプライン３２０を含み、冷却剤ノズル３１０は排煙装置２２０と間隔を隔てて本体２１０内に設置され、且つ冷却パイプライン３２０は本体２１０に伸ばして冷却剤ノズル３１０と接続し、冷却パイプライン３２０は本体２１０付近に隣り合わせに設置し、また本体２１０の側面から本体２１０に進入して冷却ノズル３１０と接続する。ここで述べる「側面から本体２１０に進入して」とは、冷却パイプライン３２０が本体２１０の傍又は上下に設置され得ることを指しており、前記側面より本体２１０に進入して冷却剤ノズル３１０と接続し、且つ冷却パイプライン３２０もまた直接排煙ダクト２００の内壁側縁に敷設するが、異なる建築構造の防火設計及び使用ニーズによって決められる。
【０００９】
排煙装置は冷却ノズル３１０と冷却パイプライン３２０の間に設置されるマグネット制御バルブ４００を別途含み、冷却パイプライン３２０には冷却剤を充填し、排煙装置２２０はさらに排煙機制御ユニット５００を含んでマグネット制御バルブ４００と信号で接続し、排煙装置２２０が起動して排煙を開始すると、排煙機制御ユニット５００はマグネット制御バルブ４００を起動させて、冷却剤が冷却剤ノズル３１０から噴出するようにする。図１並びに図２の好ましい実施例で示すように、冷却パイプライン３２０は消防用水パイプラインを含み、また冷却剤は消防用水を含む。
【００１０】
図１並びに図２で示すように、本体２１０の底にはさらに排水孔２１２を設けて、温度を下げるために噴射した消防用水を排水し、冷却剤はまた二酸化炭素ガスを含み、更には炎の延焼を食い止めることができる。従って、冷却剤は好ましくは他に粉末状を含み、粉末状は重炭酸ナトリウム、炭酸水素カリウム、燐酸二水素アンモニウム、硫酸アンモニウム、燐酸アンモニウム、酢酸カリウム、クエン酸カリウム及び上記の組合わせのうちの一つを選択し、熱に出会うと不燃性ガスを発生させて、排煙ダクト２００に延焼させないようにする。図２で示すように、排煙ダクト２００は遠端パイプライン６００とカンバスジョイント５００を別に含み、カンバスジョイント５００は遠端パイプライン６００と本体２１０の間に設置して本体２１０と遠端パイプライン６００を接続させ、遠端パイプライン６００は本体２１０と吸気口と接続して、煙やガスを外部へ送るのに使われる。
【００１１】
本考案は既に上記関連実施例により記述しているが、上記実施例は本考案を実施する範例に過ぎない。既に開示された実施例は本考案の実施範囲を限定するものではない旨指摘しておく必要がある。また逆に、請求の範囲の趣旨及び範囲の修正及び等価設置は何れも本考案の範囲内に含まれる。
【図面の簡単な説明】
【００１２】
【図１】本考案に係る温度下降式排煙ダクトの好ましい実施例
【図２】図１に示す好ましい実施例の側面図
【符号の説明】
【００１３】
１００  温度下降式排煙ダクト
２００  排煙ダクト
２１１  排気口
２１２  排水孔
２２０  排煙装置
２２１  排煙機制御装置
３００  温度下降装置  
３１０  冷却剤ノズル
３２０  冷却パイプライン
４００  マグネット制御バルブ
５００  カンバスジョイント
６００  遠端パイプライン
【図１】
0003137611.tif 000003
【図２】
0003137611.tif 000004